(57)【要約】【課題】ユーザーの手を煩わせることも、また、ユーザーを混乱させることも無いようにして、表示可能な表示仕様の画像データを再生の対象とすることができるようにする。【解決手段】再生対象の画像データの画像表示仕様と、ＨＤＭＩ接続されたディスプレイ装置２から取得する装置表示仕様と、予め決められ例えば不揮発性メモリ９４に記憶されている表示仕様変換パターンとに基づいて、そのままの画像表示仕様ではディスプレイ装置２において表示することができず、かつ、予め決められた表示仕様変換パターンにしたがって変換できないか、あるいは、変換後の表示仕様も装置表示仕様に合致しないために、ディスプレイ装置２で表示不能な画像データについては、読み飛ばすようにする。【選択図】図１
2008258699.tif 000002
【特許請求の範囲】
【請求項１】
ディスプレイ装置に対して供給する画像データの第１の出力端と、
前記ディスプレイ装置からの情報の入力端と、
記録媒体から出力対象の画像データを読み出す読み出し手段と、
前記読み出し手段により前記記録媒体から読み出された出力対象の前記画像データの表示仕様である画像表示仕様を判別する判別手段と、
前記ディスプレイ装置において画像表示が可能な画像データの表示仕様である装置表示仕様を、前記入力端を通じて取得する取得手段と、
自機において処理可能な１つ以上の予め決められた表示仕様変換パターンに従って自機から出力すべき画像データの画像表示仕様を変換する表示仕様変換手段と、
前記判別手段で判別された前記画像表示仕様と、前記取得手段で取得された前記装置表示仕様と、１つ以上の予め決められた前記表示仕様変換パターンとに基づいて、出力対象の前記画像データが、画像表示仕様を変換することなく、あるいは、前記表示仕様変換手段を通じて画像表示仕様を変換することにより、前記ディスプレイ装置において画像の表示が可能な画像データであるか否かを判別する表示可否判別手段と、
前記表示可否判別手段において、出力対象の前記画像データが前記ディスプレイ装置において画像の表示が不能なものであると判別された場合に、前記読み出し手段を制御して、異なる画像データを読み出すように、前記記録媒体からの画像データの読み出し位置を変更する変更手段と
を備えることを特徴とする画像再生装置。
【請求項２】
請求項１に記載の画像再生装置であって、
前記表示可否判別手段において、出力対象の前記画像データが前記ディスプレイ装置において画像の表示が不能なものであると判別された場合に、前記第１の出力端とは異なる形式の画像データを出力する第２の出力端に他のディスプレイ装置が接続されているか否かを判別する他接続判別手段と、
前記他接続判別手段において、前記第２の出力端にディスプレイ装置が接続されていると判別された場合に、前記第１の出力端に接続されたディスプレイ装置には画像が表示できないことを通知する通知手段と
を備え、
前記前記他接続判別手段において、前記第２の出力端にディスプレイ装置が接続されていると判別された場合に、前記変更手段は、前記記録媒体からの画像データの読み出し位置を変更しないことを特徴とする画像再生装置。
【請求項３】
請求項１に記載の画像再生装置であって、
前記記録媒体に記録される、あるいは、前記記録媒体に記録されている１つ以上の画像データのそれぞれの画像表示仕様を検出する検出手段と、
前記検出手段によって検出された前記１つ以上の画像データのそれぞれの画像表示仕様と、前記取得手段で取得された前記装置表示仕様と、自機において処理可能な１つ以上の予め決められた前記表示仕様変換パターンとに基づいて、前記記録媒体に記録されている１つ以上の画像データのそれぞれ毎に、少なくとも、再生可能か否かの別と、自機においての処理内容とを示す一覧リストを形成するリスト形成手段と、
前記リスト形成手段において形成された前記一覧リストを出力する出力手段と
を備えることを特徴とする画像再生装置。
【請求項４】
ディスプレイ装置に対して供給する画像データの第１の出力端と前記ディスプレイ装置からの情報の入力端とを備え、記録媒体に記録されている画像データを読み出して出力する画像再生装置で用いられる画像再生方法であって、
記録媒体から出力対象の画像データを読み出す読み出しステップと、
前記読み出しステップにおいて前記記録媒体から読み出した出力対象の前記画像データの表示仕様である画像表示仕様を判別する判別ステップと、
前記ディスプレイ装置において画像表示が可能な画像データの表示仕様である装置表示仕様を、前記入力端を通じて取得する取得ステップと、
前記判別ステップにおいて判別した前記画像表示仕様と、前記取得ステップで取得した前記装置表示仕様と、自機において処理可能な１つ以上の予め決められた表示仕様変換パターンとに基づいて、出力対象の前記画像データが、画像表示仕様を変換することなく、あるいは、前記表示仕様変換手段を通じて画像表示仕様を変換することにより、前記ディスプレイ装置において画像の表示が可能な画像データであるか否かを判別する表示可否判別ステップと、
前記表示可否判別ステップにおいて、出力対象の前記画像データが前記ディスプレイ装置において画像の表示が不能なものであると判別した場合に、異なる画像データを読み出すように、前記記録媒体からの画像データの読み出し位置を変更する変更ステップと
を有することを特徴とする画像再生方法。
【請求項５】
請求項４に記載の画像再生方法であって、
前記表示可否判別ステップにおいて、出力対象の前記画像データが前記ディスプレイ装置において画像の表示が不能なものであると判別した場合に、前記第１の出力端とは異なる形式の画像データを出力する第２の出力端に他のディスプレイ装置が接続されているか否かを判別する他接続判別ステップと、
前記他接続判別ステップにおいて、前記第２の出力端にディスプレイ装置が接続されていると判別した場合に、前記第１の出力端に接続されたディスプレイ装置には画像が表示できないことを通知する通知ステップと
を有し、
前記前記他接続判別ステップにおいて、前記第２の出力端にディスプレイ装置が接続されていると判別した場合に、前記変更ステップにおいては、前記記録媒体からの画像データの読み出し位置を変更しないことを特徴とする画像再生方法。
【請求項６】
請求項４に記載の画像再生方法であって、
前記記録媒体に記録される、あるいは、前記記録媒体に記録されている１つ以上の画像データのそれぞれの画像表示仕様を検出する検出ステップと、
前記検出ステップにおいて検出した前記１つ以上の画像データのそれぞれの画像表示仕様と、前記取得ステップにおいて取得した前記装置表示仕様と、自機において処理可能な１つ以上の予め決められた前記表示仕様変換パターンとに基づいて、前記記録媒体に記録されている１つ以上の画像データのそれぞれ毎に、少なくとも、再生可能か否かの別と、自機においての処理内容とを示す一覧リストを形成するリスト形成ステップと、
前記リスト形成ステップにおいて形成した前記一覧リストを出力する出力ステップと
を有することを特徴とする画像再生方法。
【発明の詳細な説明】
【技術分野】
【０００１】
この発明は、例えば、デジタルビデオカメラの画像再生ブロックやＤＶＤ（Digital Versatile disc）プレイヤー等の画像を再生する装置および当該装置で用いられる画像を再生する方法に関する。
【背景技術】
【０００２】
例えば、ＨＤＭＩ（High Definition Multimedia Interface）規格に準拠するデジタルインターフェイスを通じて画像データを出力する機器である、いわゆるＨＤＭＩ出力機器（例えばデジタルビデオカメラやＤＶＤプレイヤー等の画像再生装置）においては、それに接続される、ＨＤＭＩ規格に準拠するデジタルインターフェイスを通じて画像データを受け付ける機器である、いわゆるＨＤＭＩリピータ機器（例えばＡＶアンプ）やＨＤＭＩシンク機器（例えばディスプレイ装置）に対応して、ユーザーの操作や自動解像度変換機能より解像度等の表示仕様に関する情報を設定することができるようにされているものがある。
【０００３】
一方、ＨＤＭＩ規格に準拠するデジタルインターフェイスを備えたディスプレイ装置においては、自機において対応可能な画像データについての解像度等の情報が予め設定されており、ＥＤＩＤ（Extended Display Identification Data）情報として内部に設けられたＲＯＭ等に記憶されている。
【０００４】
そして、ＨＤＭＩ規格に準拠するデジタルインターフェイスを備えたディスプレイ装置には、対応可能な画像データについての解像度等の情報が予め一つのみ決められているもの、あるいは、対応可能な画像データについての解像度等の情報が複数決められているもの等があり、通常、ディスプレイ装置ごとに処理可能な画像データについての解像度等の情報は異なったものとなっている。
【０００５】
このため、ＨＤＭＩ出力機器（画像再生装置）には、自機が画像データを供給する先のディスプレイ装置の解像度等に対応するため、解像度等の情報が設定可能とされているものや、あるいは、ＨＤＭＩ出力機器が自動で解像度等の情報を変更する機能を備えているものもある。
【０００６】
そして、後に記す特許文献１には、上述したように、ディスプレイ装置において管理されている自機において対応可能な画像データについての解像度等の情報であるＥＤＩＤ情報を用い、ディスプレイ装置が画像データの供給元のシステム装置の表示モードを制御する技術が開示されている。
【０００７】
また、後に記す特許文献２には、いわゆるＨＤＭＩ出力機器において、画像データの出力先となるディスプレイ装置のＥＤＩＤ情報を用い、ユーザーが解像度などの情報を変更する際に、画像データを供給する先のディスプレイ装置が対応不能な解像度などを予め選択できないようにしておく技術が開示されている。
【０００８】
なお、上述した特許文献１、特許文献２は以下の通りである。
【特許文献１】特開平１１−１５４２５号公報
【特許文献２】特開２００５−３４１１９０
【発明の開示】
【発明が解決しようとする課題】
【０００９】
ところが、上述したＨＤＭＩ出力機器である画像再生装置とＨＤＭＩシンク機器であるディスプレイ装置との間においては、ＨＤＭＩ出力機器が上述もしたように解像度等の情報の設定変更が可能な機能を備えていても、必ずしもディスプレイ装置に対して、当該ディスプレイ装置が表示可能な解像度等で画像データを出力できるとは限らない。
【００１０】
例えば、デジタルビデオカメラなどのように、解像度が１９２０×１０８０ｉや７２０×４８０ｐの画像データの出力が可能な画像再生装置と、解像度が６４０×４８０画素の画像データしか表示できないパーソナルコンピュータ用ディスプレイ装置とを接続した場合、あるいは、ビデオ周波数が６０Ｈｚの画像データしか出力できない画像再生装置と、ビデオ周波数が５０Ｈｚの画像データしか表示できないディスプレイ装置とを接続した場合などにおいては、画像再生装置からの画像データに応じた画像をディスプレイ装置においては表示できない。
【００１１】
なお、この明細書においては、上述したように、解像度は、水平方向の画素数×垂直方向のライン数で表現しており、垂直方向のライン数の後ろの文字「ｉ」は、走査方式がインターレース（飛び越し走査）方式の画像データであることを示し、同じく垂直方向のライン数の後ろの文字「ｐ」は、走査方式がプログレッシブ（順次走査）方式の画像データであることを示している。
【００１２】
また、近年においては、放送メディアや通信ネットワーク、あるいは、種々のストレージ（記録媒体）を介して、解像度、走査方式、ビデオ周波数などの表示仕様の異なる様々な画像データが提供されるようになってきている。また、デジタルビデオカメラで画像を撮影する場合にも、撮影モードを切り替えることによって、撮影してストレージに記録する画像データの解像度等を変えることができる場合もある。
【００１３】
このため、１つのストレージに解像度、走査方式、ビデオ周波数などの表示仕様の異なる画像データが混在して記録される場合もあると考えられる。このように、表示仕様の異なる画像データが混在して記録されたストレージから画像データを読み出して所定のディスプレイ装置に供給して再生しようとする場合、そのまま当該ディスプレイ装置に提供したのでは、表示不能な画像データが存在したり、画像再生装置側で解像度等の表示仕様を変換しようとしても、ディスプレイ装置側で対応可能な表示仕様の画像データに変換できなかったりする場合もあると考えられる。
【００１４】
このように、１つのストレージにディスプレイ装置において表示可能な画像データと表示不能な画像データとが混在していた場合に、表示不能な画像データを再生するようにした場合には、画像は表示されないので、機器の故障と勘違いしてしまう場合があると考えられる。
【００１５】
また、画像データの表示仕様によっては再生できない画像データがあることは理解していても、ユーザー自身が当該ディスプレイ装置において、再生可能な画像データと再生不能な画像データとを区別することは難しい。仮に区別できたとしても、再生不能な画像データを読み飛ばして再生可能な画像データだけを再生しようとすれば、再生不能な画像データの読み飛ばし（スキップ）はユーザー自身が画像再生装置のキー操作部やリモートコマンダ（遠隔操作装置、以下、リモコンと略称する）を介して画像再生装置に対して指示しなければならず、操作が面倒である。
【００１６】
以上のことに鑑み、この発明は、上記問題点を一掃し、表示仕様の異なる複数の画像データを対象として再生処理を行う場合であっても、ユーザー（使用者）の手を煩わせることも、また、ユーザーを混乱させることも無いようにして、表示可能な表示仕様の画像データを再生の対象とすることができるようにすることを目的とする。
【課題を解決するための手段】
【００１７】
上記課題を解決するため、請求項１に記載の発明の画像再生装置は、
ディスプレイ装置に対して供給する画像データの第１の出力端と、
前記ディスプレイ装置からの情報の入力端と、
記録媒体から出力対象の画像データを読み出す読み出し手段と、
前記読み出し手段により前記記録媒体から読み出された出力対象の前記画像データの表示仕様である画像表示仕様を判別する判別手段と、
前記ディスプレイ装置において画像表示が可能な画像データの表示仕様である装置表示仕様を、前記入力端を通じて取得する取得手段と、
自機において処理可能な１つ以上の予め決められた表示仕様変換パターンに従って自機から出力すべき画像データの画像表示仕様を変換する表示仕様変換手段と、
前記判別手段で判別された前記画像表示仕様と、前記取得手段で取得された前記装置表示仕様と、１つ以上の予め決められた前記表示仕様変換パターンとに基づいて、出力対象の前記画像データが、画像表示仕様を変換することなく、あるいは、前記表示仕様変換手段を通じて画像表示仕様を変換することにより、前記ディスプレイ装置において画像の表示が可能な画像データであるか否かを判別する表示可否判別手段と、
前記表示可否判別手段において、出力対象の前記画像データが前記ディスプレイ装置において画像の表示が不能なものであると判別された場合に、前記読み出し手段を制御して、異なる画像データを読み出すように、前記記録媒体からの画像データの読み出し位置を変更する変更手段と
を備えることを特徴とする。
【００１８】
この請求項１に記載の発明の画像再生装置によれば、判別手段を通じて判別した出力対象の画像データの画像表示仕様（読み出し手段によって読み出された画像データの画像表示仕様）と、入力端と取得手段とを通じて取得した接続先のディスプレイ装置において表示可能な画像の表示仕様である装置表示仕様と、１つ以上の予め決められた表示仕様変換パターンとに基づいて、表示可否判別手段により、出力対象の画像データは、ディスプレイ装置において画像の表示が可能なものであるか否かが判別される。そして、出力対象の画像データが、ディスプレイ装置において画像の表示が不能なものであると判別された場合には、変更手段によって、異なる画像データを読み出すように、記録媒体上の画像データの読み出し位置が変更される。
【００１９】
これにより、画像データの供給先のディスプレイ装置において表示不能な画像データについては、ユーザーの手を煩わせることなく、自動的に読み飛ばす（スキップさせる）ことができるようにされる。したがって、ディスプレイ装置において表示不能な表示仕様の画像データが表示対象となった場合であっても、画像が表示されない状態が続くことなく、ユーザー（使用者）を混乱させることも無いようにすることができるようにされる。
【発明の効果】
【００２０】
この発明によれば、ディスプレイ装置において表示不能な表示仕様の画像データが表示対象となった場合であっても、ユーザーの手を煩わせることなく、表示不能な表示仕様の画像データに代えて、表示可能な表示仕様の画像データの再生を行うようにすることができる。従って、ディスプレイ装置において表示不能な表示仕様の画像データが表示対象となった場合であっても、ユーザーを混乱させることがないようにすることができる。
【発明を実施するための最良の形態】
【００２１】
以下、図を参照しながら、この発明による装置、方法の一実施の形態について説明する。以下に説明する実施の形態においては、この発明を、デジタルビデオカメラの再生系に適用した場合を例にして説明する。なお、デジタルビデオカメラは、画像と共に音声についても記録媒体に記録したり、また、記録媒体から再生したりすることができるものであるが、以下においては説明を簡単にするため、表示仕様に直接的には関わらない音声データについての処理系については省略する。
【００２２】
［第１の実施の形態］
［デジタルビデオカメラの構成例について］
図１は、この発明の一実施の形態が適用されるデジタルビデオカメラの構成例を説明するためのブロック図である。図１に示すように、この実施の形態のデジタルビデオカメラ１は、外部入力部１１、カメラ部１２、スイッチ回路ＳＷ１、ベースバンド処理部２０、エンコーダ３１、記録部３２、スイッチ回路ＳＷ２、ストレージ４０、読み出し部５１、デコーダ５２、信号出力インターフェイス（以下、信号出力Ｉ／Ｆと略称する。）６０、表示系インターフェイス（以下、表示系Ｉ／Ｆと略称する。）７０、操作受付インターフェイス（以下、操作受付Ｉ／Ｆという。）８０、システム制御部９０を備えたものである。
【００２３】
図１において、操作受付Ｉ／Ｆ８０は、種々の操作キーやダイヤルキー等からなり、ユーザーからの操作入力を受け付けて電気信号に変換し、これをシステム制御部９０に供給することができるものである。システム制御部９０は、図１においては図示しないが、ＣＰＵ（Central Processing Unit）、ＲＯＭ（Read Only Memory）、ＲＡＭ（Random Access Memory）、ＥＥＰＲＯＭ（Electrically Erasable and Programmable ROM）などの不揮発性メモリがＣＰＵバスを通じて接続されたマイクロコンピュータであり、ＲＯＭに記録されたプログラムを実行し、各部に供給する制御信号を形成して、これを各部に供給するなどのことができるものである。
【００２４】
これにより、システム制御部９０は、操作受付Ｉ／Ｆ８０を通じて受け付けたユーザーからの操作入力に応じて各部に供給する制御信号を形成し、これを各部に供給することによって、ユーザーからの操作入力に応じた処理を実行させることができるようにしている。すなわち、この第１の実施の形態のデジタルビデオカメラ１は、システム制御部９０の機能により、ユーザーの指示に応じて動作することができるようにしている。
【００２５】
次に、図１に示したデジタルビデオカメラ１の記録時及び再生時の動作について説明する。まず、記録時の動作について説明する。図１に示すように、この実施の形態のデジタルビデオカメラ１は、画像情報の入力端部として、外部入力部１１とカメラ部１２とを備えている。
【００２６】
この第１の実施の形態においては、説明を簡単にするため、外部入力部１１は、アナログ画像信号の入力端部であるものとして説明する。すなわち、この第１の実施の形態において、デジタルビデオカメラ１の外部入力部１１は、図示しないが、アナログ画像信号の入力端や当該入力端を通じて受け付けたアナログ画像信号をデジタル画像信号に変換するＡ／Ｄ（Analog/Digital）変換部などからなるものであり、アナログ画像信号の供給を受け付けて、これをデジタル画像データに変換して取り込むものである。
【００２７】
なお、ここでは、外部入力部１１をアナログ画像信号の入力端部としたが、デジタル画像信号の入力端部として構成することも可能である。また、アナログ画像信号の入力端部と、デジタル画像信号の入力端部との両方を持たせるようにすることも、もちろん可能である。
【００２８】
また、カメラ部１２は、図示しないが、対物レンズ、フォーカス機構、絞り機構、シャッター機構、ＣＣＤ（Charge Coupled Device）あるいはＣＭＯＳ（Complementary Metal Oxide Semiconductor）イメージセンサなどの撮像素子、当該撮像素子を通じて取り込んだ画像信号をデジタル信号に変換するＡ／Ｄ変換部などからなるものであり、目的とする被写体の画像をデジタル画像データとして取り込むものである。
【００２９】
外部入力部１１を通じて画像データを取り込むか、カメラ部１２を通じて画像データを取り込むかは、システム制御部９０によって制御されるスイッチ回路ＳＷ１を切り替えることにより選択することができるようにしている。
【００３０】
外部入力部１１またはカメラ部１２からのデジタル信号とされた画像データは、ベースバンド処理部２０に供給される。ベースバンド処理部２０は、これに供給された画像データに対して、必要な情報を付加したり、フォーマットを整えたりするなどの所定の処理を行うことによって、エンコーダ３１に供給する画像データと、信号出力Ｉ／Ｆ６０と、表示系Ｉ／Ｆ７０とに供給する画像データとを形成して、そのそれぞれを対応する回路部分に供給する。
【００３１】
エンコーダ３１は、これに供給された画像データを予め決められた方式でデータ圧縮処理（エンコード処理）し、記録部３２に供給する。画像データの記録時においては、スイッチ回路ＳＷ２は、システム制御部９０の制御により、記録部３２側に切り替えられる。これにより、記録部３２は、これに供給されたデータ圧縮された画像データを、システム制御部９０の制御に応じてストレージ４０に記録することができるようにされる。
【００３２】
一方、この実施の形態の信号出力Ｉ／Ｆ６０は、ＨＤＭＩ規格に準拠したデジタルインターフェイス（ＨＤＭＩインターフェイス（以下、ＨＤＭＩＩ／Ｆと略称する。））に対応するものであり、これに供給された画像データをＨＤＭＩ規格に準拠した形式の画像データに変換して、これをＨＤＭＩ規格に準拠したデジタルＩ／Ｆケーブル３を通じて外部機器であるディスプレイ装置２に供給ようにする。これにより、記録対象の画像データに応じた画像がディスプレイ装置２の表示画面に表示することができるようにされ、画像の記録処理と同時に記録対象の画像をモニターすることができるようにしている。
【００３３】
また、表示系Ｉ／Ｆ７０は、例えば、ＬＣＤ（Liquid Crystal Display）などの表示素子と、ＬＣＤコントローラなどを備え、ベースバンド処理部２０からの画像データから表示素子に供給する画像信号を形成して、これを表示素子に供給することにより、当該画像データに応じた画像を表示素子の表示画面に表示する。なお、表示系Ｉ／Ｆ７０は、システム制御部９０の制御に応じて、各種のガイダンスメッセージや警告メッセージなどを表示することもできるようにされている。
【００３４】
次に、ストレージ４０に記録されている画像データを再生する場合の動作について説明する。この場合、スイッチ回路ＳＷ２は、システム制御部９０の制御により読み出し部５１側に切り替えられる。そして、読み出し部５１は、システム制御部９０の制御に応じて、ストレージ４０にデータ圧縮されている画像データの中から目的とする画像データを読み出して、これをデコーダ５２に供給する。
【００３５】
デコーダ５２は、これに供給されたデータ圧縮されている画像データを圧縮解凍処理（デコード処理）して、データ圧縮前の元の画像データを復元し、これをベースバンド処理部２０に供給する。この場合、ベースバンド処理部２０は、デコーダ５２からの画像データから信号出力Ｉ／Ｆ６０及び表示系Ｉ／Ｆ７０に供給する画像データを形成し、これを信号出力Ｉ／Ｆ６０及び表示系Ｉ／Ｆ７０に供給する。
【００３６】
これにより、ストレージ４０から読み出された画像データは、信号出力Ｉ／Ｆ６０においてＨＤＭＩ規格に準拠した画像データに変換され、ＨＤＭＩ規格に準拠したデジタルＩ／Ｆケーブル３を通じてディスプレイ装置２に供給され、この場合にはストレージ４０から読み出された再生対象の画像データに応じた画像がディスプレイ装置２の表示画面に表示することができるようにされる。また、表示系Ｉ／Ｆ７０の表示素子の表示画面にも再生対象の画像データに応じた画像が表示される。
【００３７】
なお、この第１の実施の形態のデジタルビデオカメラ１において、ストレージ４０としては、磁気テープ、ＤＶＤ（Digital Versatile Disc）などの光ディスク、ハードディスク、フラッシュメモリなどの様々な記録媒体を用いることが考えられる。以下においては、ストレージ４０が磁気テープである場合を例にして主に説明するが、必要に応じてストレージがＤＶＤなどのディスク媒体である場合についても説明する。
【００３８】
そして、ストレージ４０として利用可能な磁気テープやＤＶＤなどは通常交換可能であるし、また、ハードディスクやフラッシュメモリも交換可能であるものもある。このように、ストレージが交換可能であることにより、種々の記録装置や記録再生装置で用いられ、解像度、ビデオ周波数、色空間などの表示仕様の異なる画像データが混在して記録されることが比較的容易に起こり得る。
【００３９】
また、ストレージを同じ記録装置でしか用いない場合であっても、記録モードに応じて画像表示仕様の異なる画像データを形成して記録できる装置や、種々の表示仕様の画像データの記録が可能な装置の場合にも、１つのストレージに複数の表示仕様の画像データが混在して記録される場合がある。
【００４０】
ここで、表示仕様の情報の１つである解像度は、上述もしたように、例えば、１９２０×１０８０ｉや７２０×４８０ｐのように、水平方向の画素数×垂直方向のライン数、及び走査方式を示すアルファベットからなる情報である。また、画像表示仕様の１つであるビデオ周波数は、画像データの同期周波数が６０Ｈｚか５０Ｈｚを示す情報である。また、画像表示仕様の１つである色空間は、画像データについての色をどのように表しているかを示す情報であり、用いている表色系を示す情報などからなるものである。
【００４１】
そして、画像データの出力先のディスプレイ装置においても、対応可能な表示仕様と対応不能な表示仕様とがあるので、この実施の形態のデジタルビデオカメラ１は、ディスプレイ装置２に供給する画像データの表示仕様（画像表示仕様）を予め決められている表示仕様変換パターンに従って変換することもできるようにしている。
【００４２】
しかし、表示仕様の変換も全てのパターンに対応できるわけではなく、ディスプレイ装置２において対応可能である可能性の高い幾つかの表示仕様に変換可能なように、上述もしたように、表示仕様変換パターンは予め決められている。このため、１つのストレージ中に、画像データの供給先のディスプレイ装置において表示可能な画像データとそうでないものとが混在し、不都合を生じさせてしまう場合がある。
【００４３】
そこで、この実施の形態のデジタルビデオカメラ１においては、ストレージに記録されている画像データを再生する場合において、再生対象の画像データの表示仕様である画像表示仕様と、自機においてどの表示仕様からどの表示仕様への変換が可能であるかを示す予め決められている表示仕様変換パターンと、画像データの供給先のディスプレイ装置２において対応可能な表示仕様である装置表示仕様とに基づいて、再生対象の画像データが供給先のディスプレイ装置において表示可能なものか否かを適切に判断し、表示不能な画像データについては再生することなく、再生可能な画像データに再生対象の画像データを自動的に変更することができるようにしている。
【００４４】
なお、上述したように、この明細書においては、説明を簡単にするため、ストレージに記録される、あるいは、ストレージに記録された画像データについての表示仕様を画像表示仕様とし、画像データの供給先のディスプレイ装置において対応可能な画像データの表示仕様を装置表示仕様として区別して用いる。また、表示仕様変換パターンは、このデジタルビデオカメラ１において、予め可能とされた画像データの画像表示仕様の変換パターンを示すものである。
【００４５】
［再生系部分とディスプレイ装置との動作について］
図２は、図１に示したデジタルビデオカメラ１の再生系部分と画像データの供給先であるディスプレイ装置との接続関係等を説明するためのブロック図である。図２においては、デジタルビデオカメラ１の再生系部分に注目しており、記録系部分は省略した。また、図１に示した再生系部分と記録系部分とを切り替えるスイッチ回路ＳＷ２についても省略した。
【００４６】
そして、後述もするが、この実施の形態のデジタルビデオカメラ１の再生系部分は、ＨＤＭＩ規格に準拠したデジタルインターフェイス（以下、ＨＤＭＩＩ／Ｆと略称する。）を備えるものであり、ＨＤＭＩトランスミッタ６１とＨＤＭＩコネクタ部６２とにより、ＨＤＭＩＩ／Ｆの機能を実現している。
【００４７】
また、ディスプレイ装置２も、ＨＤＭＩＩ／Ｆを備えるものであり、ＨＤＭＩコネクタ部２０１と、ＨＤＭＩレシーバとしての機能を実現するＨＤＭＩ制御部２０２と、ＥＤＩＤ（Extended Display Identification Data）情報を格納するメモリ２０２とにより、ＨＤＭＩＩ／Ｆの機能を実現している。
【００４８】
ここで、ディスプレイ装置２のメモリ２０３に記憶保持されているＥＤＩＤ情報は、ディスプレイ装置２で処理可能な画像データの解像度の種類、ビデオ周波数、色空間等の表示仕様についての情報である。このように、ディスプレイ装置２は、ＨＤＭＩＩ／Ｆを通じてデジタルビデオカメラ１に接続されるいわゆるＨＤＭＩシンク機器である。
【００４９】
そして、この第１の実施の形態において、デジタルビデオカメラ１とディスプレイ装置２とは、ＨＤＭＩコネクタ部６２とＨＤＭＩコネクタ部２０１との間が、ＨＤＭＩ規格に準拠したデジタルＩ／Ｆケーブル３によって接続され、デジタルビデオカメラ１は、画像データをディスプレイ装置２に供給したり、また、ディスプレイ装置２からＥＤＩＤ情報を取得したりすることができるようにしている。
【００５０】
また、デジタルビデオカメラ１のシステム制御部９０は、ＨＤＭＩＩ／Ｆが備える所定のラインを通じて電気的にディスプレイ装置が接続されたか否かを判別することができるようにしている。
【００５１】
そして、図２に示すように、この第１の実施の形態のデジタルビデオカメラ１の再生系部分は、ストレージ４０、読み出し部５１、デコーダ５２、解像度判別部２１、解像度変換部２２、ＨＤＭＩトランスミッタ６１、ＨＤＭＩコネクタ部６２、表示系Ｉ／Ｆ７０からなっている。
【００５２】
ここで、解像度判別部２１と解像度変換部２２との機能は、図１に示したベースバンド処理部２０の機能として実現されるものであり、後述もするように、画像データについての解像度などを含む画像表示仕様を判別したり、画像表示仕様を変換したりする機能を実現するものである。また、ＨＤＭＩトランスミッタ６１とＨＤＭＩコネクタ部６２とは、図１に示した信号出力Ｉ／Ｆ６０の機能を実現するものであり、上述もしたように、ＨＤＭＩＩ／Ｆの機能を実現するものである。
【００５３】
そして、再生系部分を構成する各回路は、図２においてシステム制御部９０からの点線矢印によって示されているように、システム制御部９０の制御に応じて動作することができるようにしている。なお、システム制御部９０は、図２に示したように、ＣＰＵ９１、ＲＯＭ９２、ＲＡＭ９３、不揮発性メモリ９４がＣＰＵバスを通じて接続されて形成されたマイクロコンピュータであり、操作受付Ｉ／Ｆ８０を通じて受け付けたユーザーからの操作入力に応じて各部を制御することができるようにしている。
【００５４】
なお、システム制御部９０のＣＰＵ９１は、ＲＯＭ９２や不揮発性メモリ９４に記憶保持されているプログラムを実行して、各部に供給する制御信号を形成して供給することにより、各部を制御する制御の主体となるものである。ＲＯＭ９２は、上述したように、ＣＰＵ９１によって実行されるプログラムや処理に必要になるデータ等が記録されたものである。
【００５５】
ＲＡＭ９３は、処理の途中結果を一時記憶するなど、主に作業領域として用いられるものである。不揮発性メモリ９４には、電源が落とされても保持しておく必要のある情報、例えば、各種の設定パラメータ、機能追加のためのプログラムやデータ等が記憶保持される。この実施の形態のデジタルビデオカメラ１において、不揮発性メモリ９４には、後述する解像度変換部２２において、どの画像表示仕様からどの画像表示仕様に変換可能かを示す表示仕様変換パターンを示す情報をも記憶保持しているものである。
【００５６】
そして、読み出し部５１は、システム制御部９０の制御に応じて、ストレージから再生対象の目的とする画像データを読み出し、これをデコーダ５２に供給する。上述もしたように、ストレージ４０に記録されている画像データは、データ圧縮されたものであるので、デコーダ５２はこれに供給されたデータ圧縮されている画像データを圧縮解凍し、データ圧縮前の元の画像データを復元し、これを解像度判別部２１に供給する。
【００５７】
解像度判別部２１は、これに供給された画像データが有する情報に基づいて、当該画像データの解像度等の画像表示仕様を判別し、判別結果をシステム制御部９０に通知すると共に、画像データについては解像度変換部２２に供給する。ここで、解像度判別部２１からシステム制御部９０に通知された再生対象の画像データの画像表示仕様は、システム制御部９０の例えばＲＡＭ９３に一時記憶される。
【００５８】
解像度変換部２２は、システム制御部９０の制御に応じて、解像度判別部２１からの画像データが解像度等の表示仕様の変換が必要ないものである場合には、そのままＨＤＭＩトランスミッタ６１と、表示系Ｉ／Ｆ７０とに供給し、解像度判別部２１からの画像データが解像度等の表示仕様の変換が必要であるものである場合には、解像度等の表示仕様の変換を行って、変換後の画像データをＨＤＭＩトランスミッタ６１と、表示系Ｉ／Ｆ７０とに供給するものである。
【００５９】
すなわち、システム制御部９０は、上述もしたように、解像度判別部２１から供給されてＲＡＭ９３に一時記憶している情報により、再生対象の画像データの画像表示仕様を把握している。また、システム制御部９０は、不揮発性メモリ９４に、解像度変換部２２において、どの表示仕様からどの表示仕様への変換が可能であるかを示す情報である表示仕様変換パターンを記憶保持している。
【００６０】
さらに、システム制御部９０は、ＨＤＭＩＩ／Ｆのデータ信号線及びクロック信号線（ＤＤＣ（Display Data Channel）ライン）を通じて、ディスプレイ装置２のメモリ２０３に記憶保持されている、ディスプレイ装置２で処理可能な画像データの解像度の種類、ビデオ周波数、色空間等の装置表示仕様を取得し、これを例えばＲＡＭ９３に一時記憶している。
【００６１】
このため、システム制御部９０は、ＲＡＭ９３に一時記憶している現在の再生対象の画像データの画像表示仕様と、ディスプレイ装置２の装置表示仕様とを比較し、再生対象の画像データを画像表示仕様を変換することなくそのまま出力可能か否かを判断し、そのまま出力可能であると判断したときには、システム制御部９０は解像度変換部２２に対して、解像度判定部２１からの画像データの表示仕様を変換することなく、スルーしてそのまま出力するように制御する。
【００６２】
また、システム制御部９０は、ＲＡＭ９３に一時記憶している現在の再生対象の画像データの画像表示仕様とディスプレイ装置２の装置表示仕様との比較結果から、画像表示仕様の変換が必要であると判断したときには、不揮発性メモリ９４に記憶保持されている表示仕様変換パターンを参照して、再生対象の画像データの画像表示仕様を、自機の解像度変換部２２において、ディスプレイ装置２で対応可能なように変換可能か否かを判断する。
【００６３】
ここで、再生対象の画像データの画像表示仕様を、自機の解像度変換部２２において、ディスプレイ装置２で対応可能なように変換可能であると判断したときには、システム制御部９０は、不揮発性メモリ９４に記憶保持されている表示仕様変換パターンに従って解像度変換部２２を制御し、表示対象の画像データの画像表示仕様を、ディスプレイ装置２において対応可能な画像表示仕様に変換した後に、画像表示仕様が変換された画像データを出力するように制御する。
【００６４】
また、再生対象の画像データの画像表示仕様を、自機の解像度変換部２２において、ディスプレイ装置２で対応可能なように変換不能であると判断したときには、システム制御部９０は、読み出し部５１を制御して、現在、再生の対象となっている画像データを読み飛ばして、他の画像データを読み出すようにする。
【００６５】
このよに、この第１の実施の形態のデジタルビデオカメラ１のシステム制御部９０は、ストレージ４０に記憶保持されている画像データを読み出して再生する場合には、再生対象の画像データの画像表示仕様と、ディスプレイ装置において対応可能な表示仕様である装置表示仕様と、自機において変換可能な表示仕様のパターンを示す表示仕様変換パターンとに基づいて、ディスプレイ装置２において対応可能なように画像表示仕様を変換できないと判断した場合に、再生対象の画像データを他の画像データ（異なる画像データ）に変更することができるようにしている。
【００６６】
そして、上述もしたように、解像度変換部２２は、システム制御部９０の制御に応じて、再生対象の画像データをそのまま、あるいは、画像表示仕様を変換した画像データをＨＤＭＩトランスミッタ６１と表示系Ｉ／Ｆ７０に供給する。
【００６７】
ＨＤＭＩトランスミッタ６１は、システム制御部９０の制御に応じて、解像度変換部２２からの画像データをＨＤＭＩ規格のデータに変換し、暗号化を施すなどして、ＨＤＭＩＩ／Ｆを通じて自機から出力する画像データを形成するものである。そして、ＨＤＭＩトランスミッタ６１で形成された出力用の画像データは、ＨＤＭＩコネクタ部６２、ＨＤＭＩ規格のデジタルＩ／Ｆケーブル３を通じてディスプレイ装置２に供給するようにされる。
【００６８】
そして、ディスプレイ装置２では、ＨＤＭＩコネクタ部２０１を通じてデジタルビデオカメラ１からの画像データを受け付けてＨＤＭＩ制御部２０２に供給する。ＨＤＭＩ制御部２０２は、デジタルビデオカメラ１からの暗号化されている画像データを復号化するなどして自機において処理可能な画像データに変換して出力し、自機の表示素子の表示画面に画像を表示するための画像データとして用いるようにされる。
【００６９】
このように、この実施の形態のデジタルビデオカメラ１は、ストレージ４０に記録されている画像データを再生する場合に、再生対象の画像データが供給先のディスプレイ装置２において適切に再生可能か否かを判別し、適切に再生できないと判別したときには、再生対象の画像データをユーザーの手を煩わせることなく、自動的に変更することができるようにしている。
【００７０】
また、デジタルビデオカメラ１の表示系Ｉ／Ｆ７０の表示素子に、再生対象の画像データに応じた画像を表示することもできるようにされる。また、詳しくは後述もするように、デジタルビデオカメラ１の表示系Ｉ／Ｆ７０を通じて、例えば、再生中であることを示すメッセージを表示したり、また、画像データの読み飛ばしを行っている場合には、画像データの読み出しを行っていることを示すメッセージを表示したりすることもできるようにしている。
【００７１】
次に、図２を用いて説明したように、実施の形態のデジタルビデオカメラ１からの画像データに応じた画像をディスプレイ装置２で表示するようにする場合のデジタルビデオカメラ１の再生系部分の処理を、具体例を用いて説明する。
【００７２】
ここでは、デジタルビデオカメラ１のストレージ４０に、以下の４つの画像表示仕様の画像データが、（１）〜（４）の順番で記録されているものとする。すなわち、
（１）１９２０×１０８０ｐ＠６０Ｈｚ
（２）１９２０×１０８０ｉ＠６０Ｈｚ
（３）１９２０×１０８０ｉ＠５０Ｈｚ
（４）１９２０×１０８０ｉ＠６０Ｈｚ
の画像表示仕様の４つの画像データ（４つの異なる画像コンテンツ）が、この順番でストレージ４０に記録されているとする。
【００７３】
また、デジタルビデオカメラ１のシステム制御部９０の不揮発性メモリ９４には、予め決められている３つの表示仕様変換パターンが記憶保持されているものとする。すなわち、
（Ａ）１９２０×１０８０ｐ＠６０Ｈｚから１９２０×１０８０ｉ＠６０Ｈｚへの変換
（Ｂ）１９２０×１０８０ｉ＠６０Ｈｚから  ７２０×  ４８０ｉ＠６０Ｈｚへの変換
（Ｃ）変換なし
の３つの表示仕様変換パターンが記憶保持されているものとする。この例では、画像表示仕様の変換が必要ない場合も、（Ｃ）に示したように変換可能なパターンの１つとして把握するようにしている。
【００７４】
また、ディスプレイ装置２において対応可能な表示仕様である装置表示仕様として、以下に示す４つの装置表示仕様が存在することがシステム制御部９０において把握されているものとする。すなわち、
（ａ）１９２０×１０８０ｉ＠６０Ｈｚ
（ｂ）  ７２０×  ４８０ｉ＠６０Ｈｚ
（ｃ）  ７２０×  ４８０ｐ＠６０Ｈｚ
（ｄ）  ６４０×  ４８０ｐ＠６０Ｈｚ
の４つの装置表示仕様が存在することが把握されているものとする。
【００７５】
なお、上述の表示仕様の記述において、例えば、「１９２０×１０８０ｉ」等と記載した部分は、上述した解像度の場合と同じ記載形式を用いたものであり、「水平方向の画素数×垂直方向のライン数  走査方式」により表される解像度の情報を示す部分であり、＠直後の６０Ｈｚ、５０Ｈｚなる周波数の記載は、ビデオ周波数を示す部分である。また、この実施の形態においては、色空間に関する情報は説明を簡単にするため用いないこととする。
【００７６】
そして、デジタルビデオカメラ１のシステム制御部９０は、読み出し部５１を制御して、ストレージ４０に記憶されている画像データを先頭から順番に読み出して再生するようにする。この場合、初めに、画像表示仕様が（１）１９２０×１０８０ｐ＠６０Ｈｚである画像データを読み出して再生するようにするが、当該画像表示仕様は、上述した（ａ）、（ｂ）、（ｃ）、（ｄ）の何れにも対応しないので、そのままの状態では、当該画像データは、ディスプレイ装置２において画像を表示することができないものである。
【００７７】
しかし、上述したように、この実施の形態のデジタルビデオカメラの解像度変換部２２により、表示仕様変換パターンの（Ａ）として、１９２０×１０８０ｐ＠６０Ｈｚから１９２０×１０８０ｉ＠６０Ｈｚへの変換が可能であることから、システム制御部９０は、解像度変換部２２を制御し、１９２０×１０８０ｐ＠６０Ｈｚから１９２０×１０８０ｉ＠６０Ｈｚへの変換を行うようにすることで、ディスプレイ装置２において表示することができるようにされる。
【００７８】
次に、読み出し部５１は、システム制御部９０の制御に応じて、ストレージ４０から画像表示仕様が（２）１９２０×１０８０ｉ＠６０Ｈｚである画像データを読み出して再生するようにするが、当該画像表示仕様は、（ａ）に対応し、ディスプレイ装置２において対応可能なものである。
【００７９】
このため、システム制御部９０は、解像度変換部２２を制御して、解像度等の変換を行わず、供給された画像データをそのまま出力するように（スルーするように）制御する。これにより、ストレージ４０から読み出された画像表示仕様が（２）１９２０×１０８０ｉ＠６０Ｈｚである画像データがディスプレイ装置２において表示するようにされる。
【００８０】
次に、読み出し部５１は、システム制御部９０の制御に応じて、ストレージ４０から画像表示仕様が（３）１９２０×１０８０ｉ＠５０Ｈｚである画像データを読み出して再生するようにするが、当該画像表示仕様は、当該画像表示仕様は、上述した（ａ）、（ｂ）、（ｃ）、（ｄ）の何れにも対応しないので、そのままの状態では、当該画像データは、ディスプレイ装置２において画像を表示することができないものである。しかも、上述した表示仕様変換パターン（Ａ）、（Ｂ）、（Ｃ）が示すように、解像度変換部２２によっては、ディスプレイ装置２において表示可能な画像表示仕様には変換もできないものであり、結局、ディスプレイ装置２においては、表示することができないものである。
【００８１】
そこで、システム制御部９０は、ディスプレイ装置２において対応不能な画像表示仕様であり、かつ、ディスプレイ装置２において対応可能な画像表示仕様に変換もできない画像表示仕様の画像データについては、読み出し部５１を制御し、表示不能な画像データが記録されているストレージ４０上の区間を、早送り処理したり、スキップ処理したりして、次の画像データの先頭まで、読み出し位置を移動させるようにする。
【００８２】
そして、最後に再びストレージ４０から画像表示仕様が（４）１９２０×１０８０ｉ＠６０Ｈｚである画像データが読み出されて再生するようにされる。これは、上述もしたように、（ａ）の装置表示仕様に対応し、ディスプレイ装置２において表示処理可能な画像表示仕様であるために、システム制御部９０は、解像度変換部２２が画像データをスルーするように制御するので、画像表示仕様が（４）１９２０×１０８０ｉ＠６０Ｈｚである画像データがディスプレイ装置２に供給されて表示するようにされる。
【００８３】
このように、この実施の形態のデジタルビデオカメラ１においては、そのままの画像表示仕様では、ディスプレイ装置２において表示処理されず、また、ディスプレイ装置２において表示可能な画像表示仕様にも変換できない画像データが記録されている部分を読み飛ばし、次に再生すべき画像データが記録されている先頭位置に読み出し位置を自動的に変更することができるので、ユーザーの手を煩わせることなく、ディスプレイ装置２において表示可能な画像データのみを読み出して再生することができるようにしている。すなわち、ユーザーの手を煩わせることなく、ディスプレイ装置２に再生画像が表示されていない時間を最短に止めることができるようにしている。
【００８４】
［再生時の動作について（ストレージが磁気テープの場合）］
次に、この第１の実施の形態のデジタルビデオカメラ１において、上述したように、ＨＤＭＩコネクタ部６２を通じてディスプレイ装置２が接続されている場合のストレージ４０に記録されている画像データの再生処理について、図３のフローチャートを参照しながら説明する。なお、ここでは、ストレージ４０は、磁気テープが用いられているものとして説明する。
【００８５】
図３は、第１の実施の形態のデジタルビデオカメラ１における再生時の処理を説明するためのフローチャートである。システム制御部９０は、操作受付Ｉ／Ｆ８０を通じてストレージ４０からの画像データの再生指示入力を受け付けた場合であって、ＨＤＭＩコネクタ部６２にディスプレイ装置２が接続されている場合に、システム制御部９０は、図３に示す処理を実行する。この場合、ＨＤＭＩコネクタ部６２を通じてディスプレイ装置２が接続されているか否かは、ＨＤＭＩＩ／Ｆにおいて規定されている所定の端子に対しての接続の有無を検出することにより検出することができるようにされている。
【００８６】
そして、システム制御部９０は、ＨＤＭＩＩ／ＦのＤＤＣラインを通じて、ディスプレイ装置２のメモリ２０３からＥＤＩＤ情報を読み出して、自己のＲＡＭ９３に一時記憶する（ステップＳ１０１）。ここで、ＥＤＩＤ情報は、上述もしたように、ディスプレイ装置２においての装置表示仕様を示す情報であり、上述もしたように、解像度、走査方式、ビデオ周波数、色空間等の情報である。
【００８７】
次に、システム制御部９０は、上述もしたように、不揮発性メモリ９４に予め記憶保持するようにしている、自機において変換可能な表示仕様のパターン（表示仕様変換パターン）を参照して認識する（ステップＳ１０２）。この後、システム制御部９０は、読み出し部５１を制御して、ストレージ４０から目的とする画像データの読み出しを開始する（ステップＳ１０３）。
【００８８】
そして、システム制御部９０は、デコーダ５２、解像度判定部２２を制御して、まず、デコーダ５２により、データ圧縮されている画像データの圧縮解凍処理を行い、データ圧縮前の元の画像データを復元した後、解像度判定部２１により当該画像データの解像度等の画像表示仕様αを判別する（ステップＳ１０４）。ここでの判別結果は、システム制御部９０のＲＡＭ９３に一時記憶されて把握するようにされる。
【００８９】
次に、システム制御部９０は、既に取得している情報に基づいて、出力対象の画像データの画像表示仕様の変換が可能であるか否かを判断する（ステップＳ１０５）。このステップＳ１０５においては、ステップＳ１０１において読み出したＥＤＩＤ情報（装置表示仕様に相当）と、ステップＳ１０２において認識した表示仕様変換パターンと、ステップＳ１０４において判別した出力対象の画像データの画像表示仕様αとを考慮し、出力対象の画像データの画像表示仕様αが、そのままディスプレイ装置２において対応可能なものである場合、及び、出力対象の画像データの画像表示仕様αがそのままディスプレイ装置２で対応可能なものではないが、表示仕様変換パターンに従って、ディスプレイ装置２で対応可能な画像表示仕様に変換可能である場合には、画像表示仕様αの変換が可能であると判断する。
【００９０】
すなわち、ステップＳ１０５においては、出力対象の画像データの画像表示仕様αがそのままディスプレイ装置２で対応可能なものでもないし、かつ、表示仕様変換パターンに従って、ディスプレイ装置２で対応可能な画像表示仕様に変換不能なものである場合には、画像表示仕様αの変換が不能であると判断する。
【００９１】
そして、ステップＳ１０５において、画像表示仕様αの変換が可能であると判断した場合であって、出力対象の画像データの画像表示仕様αがそのままディスプレイ装置２において対応可能なものである場合には、システム制御部９０は解像度変換部２２を制御して、供給された画像データをそのまま出力するようにし、また、出力対象の画像データの画像表示仕様αがそのままディスプレイ装置２で対応可能なものではないが、表示仕様変換パターンに従って、ディスプレイ装置２で対応可能な画像表示仕様に変換可能である場合には、システム制御部９０は解像度変換部２２を制御して、対応する表示仕様変換パターンに従って、画像表示仕様の変換を行い、その変換後の画像表示仕様の画像データを出力するようにする（ステップＳ１０６）。
【００９２】
次に、システム制御部９０は、ＨＤＭＩトランスミッタ６１を制御して、解像度変換部２２からの画像データを処理して、ＨＤＭＩＩ／Ｆを介して送信可能なように画像データを変換し（ステップＳ１０７）、この後、ＨＤＭＩコネクタ部６２を通じて、ＨＤＭＩ規格のデジタルＩ／Ｆケーブル３を通じて接続されたディスプレイ装置に出力する（ステップＳ１０８）。
【００９３】
そして、システム制御部９０は、全ての画像データの読み出しを終了し、読み出すべき画像データが存在しない場合、あるいは、操作受付Ｉ／Ｆ８０を通じてユーザーから再生終了指示を受け付けた場合など、再生処理を終了させるべき事象が発生したか否かを判断し（ステップＳ１０９）、発生していないと判断したときには、ステップＳ１０４からの処理を繰り返すようにする。また、ステップＳ１０９の判断処理において、再生処理を終了させるべき事象が発生したと判断したときには、この図３に示す処理を終了する。
【００９４】
また、ステップＳ１０５の判断処理において、出力対象の画像データの画像表示仕様αを、ディスプレイ装置２において対応可能なように変換できないと判断した場合には、システム制御部９０は、読み出し部５１を制御して、異なる画像表示仕様の画像データの記録部分まで、読み出し箇所を変更するように早送りする（ステップＳ１１０）。
【００９５】
そして、システム制御部９０は、表示系Ｉ／Ｆ７０を制御して、現在の状態を表示する（ステップＳ１１１）。すなわち、読み出した画像データはディスプレイ装置２においては表示できない画像表示仕様であるために、ディスプレイ装置２においては画像の表示ができない旨の表示を行うようにする。
【００９６】
また、システム制御部９０は、読み出した画像データはディスプレイ装置２においては表示できない画像表示仕様であるために、ディスプレイ装置２においては画像の表示ができない旨の表示メッセージを形成し、これをＨＤＭＩトランスミッタ６１、ＨＤＭＩコネクタ部６２を通じて、ディスプレイ装置２に供給するようにして、当該表示メッセージをディスプレイ装置２に表示するようにした後（ステップＳ１１２）、読み出し箇所の変更後において、ステップＳ１０４からの処理を繰り返すようにする。
【００９７】
これにより、ディスプレイ装置２において表示可能な画像表示仕様の画像データが見つかるまで、ステップＳ１０４、ステップＳ１０５、ステップＳ１１０、ステップＳ１１１、ステップＳ１１２の各処理を繰り返すことにより、ディスプレイ装置２において再生不能な画像データについて、ユーザーの手を煩わせることなく読み飛ばしを行うことができるようにされる。
【００９８】
したがって、ストレージ４０に様々な画像表示仕様の画像データが混在して記録されている場合であっても、この実施の形態のデジタルビデオカメラ１にＨＤＭＩＩ／Ｆを通じて接続された（ＨＤＭＩ接続された）ディスプレイ装置２において対応可能な画像データのみを当該ディスプレイ装置２に供給して再生することができるようにされる。また、再生不能な画像データが存在した場合に、再生できないために再生対象の画像データを変更する旨をユーザーに通知することもできるようにされる。
【００９９】
なお、上述もしたように、図３に示した処理を行うデジタルビデオカメラ１のストレージ４０は、磁気テープであるものとして説明した。すなわち、磁気テープの場合、記録データを任意のスピードで読み出すことができるが、瞬間的に画像表示仕様の異なる画像データの記録開始位置（画像表示仕様の変わり目）に読み出し位置をスキップさせることはできない。図３に示したステップＳ１１０の早送りの処理には、ある程度の時間が必要になり、ステップＳ１１１、ステップＳ１１２の処理により、早送りしている場合の状態を表示することによって、ユーザーが機器の故障と間違えることが無いようにしている。
【０１００】
［再生時の動作について（ストレージがランダムアクセス可能な媒体の場合）］
ところで、ストレージ４０が、ＤＶＤやハードディスクやフラッシュメモリなどのランダムアクセスが可能なものであれば、磁気テープの場合と同様に再生スピードを変えて読み出し位置を変えることも可能であるし、また、記録媒体上の目的とする位置にダイナミックに読み出し位置を位置付けること、すなわちスキップすることもできる。このため、ストレージ４０として、ＤＶＤ、ハードディスク、フラッシュメモリなどランダムアクセスが可能な媒体を用いる場合であって、ストレージ４０の読み出し位置を変更する場合には、図３に示したフローチャートの処理と若干異なることになる。
【０１０１】
図４は、ストレージ４０として、ＤＶＤ、ハードディスク、フラッシュメモリなどランダムアクセスが可能な記録媒体が用いられている場合に、当該ストレージ４０に記録されている画像データを再生する場合の処理を説明するためのフローチャートである。この図４に示す処理もまた、図３を用いて説明した処理と同様に、操作受付Ｉ／Ｆ８０を通じてストレージからの画像データの再生指示入力を受け付けた場合であって、ＨＤＭＩコネクタ部６２にディスプレイ装置２が接続されている場合に、主にシステム制御部９０によって実行される。
【０１０２】
そして、図４において、ステップＳ２０１〜ステップＳ２０９までの処理は、図３を用いて説明したステップＳ１０１〜ステップＳ１０９の処理と全く同様に行われるものである。そして、ステップＳ２０５の判断処理において、出力対象の画像データの画像表示仕様が、ディスプレイ装置２で対応不能なものであり、しかもディスプレイ装置２において対応可能な画像表示仕様に変換もできないものであると判断した場合には、システム制御部９０は、次の画像ファイルまで再生箇所をスキップさせる（ステップＳ２１０）。
【０１０３】
ステップＳ２１０の処理は、磁気テープの早送りのように時間のかかるものではなく、一瞬にして行われる処理であるので、システム制御部９０は、表示系Ｉ／Ｆ７０を制御して、例えば、「ファイルナンバーＸＸは、ディスプレイで表示できない形式のため、スキップしました。」というように、スキップしたファイルのファイルＮｏ（ファイル番号）を表示するようにする（ステップＳ２１１）。これにより、ユーザーに対して、ディスプレイ装置２において表示不能な画像データをスキップしたことが通知される。
【０１０４】
また、より明確に表示不能な画像データをスキップしたことをユーザーに対して明確に通知するため、ディスプレイ装置２において表示不能な画像データを再生するようにしたので、当該画像データについてはスキップしたことを通知するメッセージを形成し、これをＨＤＭＩトランスミッタ６１に供給して、出力すべき画像データに対して、例えば、ＯＳＤ（On Screen Display）の技術を用いて合成して出力し（ステップＳ２１２）、ディスプレイ装置２の表示画面に当該表示メッセージを表示させるようにして、ステップＳ２０４からの処理を繰り返すようにする。
【０１０５】
このように、ランダムアクセスが可能なストレージから画像データを読み出して再生するようにする場合、ディスプレイ装置２で表示不能な画像表示仕様であるために画像データの読み飛ばしを行っても瞬時に読み飛ばしが終了し、次の画像データの再生が行われるようにされ、画像データの読み飛ばしが行われたことをユーザーが認識できない場合もあると考えられる。
【０１０６】
しかし、上述したように、読み飛ばしを行ったことを通知するメッセージ表示を行うことにより、読み飛ばされた画像データが存在し、それが何かをもユーザーが把握することができる。従って、目的とする画像データが画像表示仕様の関係で表示できないために読み飛ばされた場合に、目的とする画像データが記録されていない、あるいは、消去されてしまったなどと勘違いすることも無いようにすることができる。
【０１０７】
［第２の実施の形態］
上述した第１の実施の形態のデジタルビデオカメラ１は、ＨＤＭＩＩ／Ｆを通じて１つのディスプレイ装置の接続が可能なものとして説明した。しかし、ＨＤＭＩＩ／Ｆ以外にも、デジタルビデオカメラには、例えば、Ｒ（赤）信号、Ｇ（緑）信号、Ｂ（青）信号のそれぞれを別個に出力するコンポーネント信号の出力端子を設けたり、あるいは、色信号と輝度信号とを合成したコンポジット信号の出力端子を設けたりすることが考えられる。
【０１０８】
そこで、この第２の実施の形態においては、ＨＤＭＩＩ／Ｆの他に、例えば、画像データについてのコンポーネント出力端子を備え、ＨＤＭＩＩ／Ｆと、コンポーネント出力端子との両方を通じて画像データの出力か可能なデジタルビデオカメラ４においての画像データの再生処理について説明する。
【０１０９】
なお、この第２の実施の形態のデジタルビデオカメラ４の場合にも、再生系部分にコンポーネント出力端子が設けられている点を除けば、記録系部分、再生系部分とも、図１に示した第１の実施の形態のデジタルビデオカメラ１と同様に構成されるものである。このため、以下においては、デジタルビデオカメラ４の再生系部分の構成例を示し、その動作を詳細に説明する。
【０１１０】
［再生系部分とディスプレイ装置との動作について］
図５は、この第２の実施の形態のデジタルビデオカメラ４の再生系部分と画像データの供給先であるディスプレイ装置との接続関係を説明するためのブロック図である。図５において、図２に示した第１の実施の形態のデジタルビデオカメラ１の再生系部分と同様に構成される部分には、同じ参照符号を付し、それらの部分の詳細な説明については省略する。
【０１１１】
図５に示すように、この第２の実施の形態のデジタルビデオカメラ４の再生系部分は、ＨＤＭＩＩ／Ｆを実現するＨＤＭＩトランスミッタ６１及びＨＤＭＩコネクタ部６２を備えると共に、画像データをコンポーネント信号として出力するコンポーネント出力端子（以下、単に画像出力端子という。）ｏｕｔが設けられたものである。
【０１１２】
ＨＤＭＩコネクタ部６２を通じては、図２に示した第１の実施の形態のデジタルビデオカメラ１の再生系部分と同様に、ＨＤＭＩシンク機器としてのディスプレイ装置２が接続されている。そして、画像出力端子ｏｕｔに対して、ディスプレイ機器５が接続されているものである。このように、この第２の実施の形態のデジタルビデオカメラ４には、ディスプレイ装置２とディスプレイ機器５とが異なるインターフェイスを通じて接続されているものである。
【０１１３】
そして、図５に示したように、異なるインターフェイスを通じてディスプレイ装置２とディスプレイ機器５とが接続されている場合においても、図１〜図３を用いて説明した第１の実施の形態の場合と同様に、ＨＤＭＩＩ／Ｆを通じて接続されているディスプレイ装置２については、システム制御部９０は、ストレージ４０から読み出した画像データが、そのままの画像表示仕様でディスプレイ装置２に表示可能なものか、そのままでは表示不能なものである場合には、ディスプレイ装置２において表示可能な画像表示仕様に変換可能なものかを判別することができる。
【０１１４】
しかし、そのままの画像表示仕様ではディスプレイ装置２に表示不能なものであり、しかもこの第２の実施の形態のデジタルビデオカメラが、ディスプレイ装置２において表示可能な画像表示仕様に変換不能なものである場合に、第１の実施の形態のデジタルビデオカメラ１の場合と同様に、画像データの読み飛ばしを行ってしまったのでは、画像出力端子ｏｕｔを通じて接続されたディスプレイ機器５を通じて再生可能な画像データについても読み飛ばしてしまい、結果としてディスプレイ機器５を通じて再生可能な画像データの再生が出来なくなってしまう。
【０１１５】
そこで、この第２の実施の形態のデジタルビデオカメラ４においては、ストレージ４０に記憶保持されている画像データを読み出して、ＨＤＭＩコネクタ部６２に接続されたディスプレイ装置２に供給すると共に、画像出力端子ｏｕｔに接続されたディスプレイ機器５に供給する場合には、以下のように動作する。
【０１１６】
すなわち、ストレージ４０から読み出した画像データの画像表示仕様が、ＨＤＭＩコネクタ部６２を通じて接続されたディスプレイ装置２において、そのまま処理可能なものである場合には、読み出した画像データをその画像表示仕様を変換することなく、ＨＤＭＩコネクタ部６２に接続されたディスプレイ装置２と、画像出力端子ｏｕｔに接続されたディスプレイ機器５とに供給する。
【０１１７】
また、ストレージ４０から読み出した画像データの画像表示仕様が、ＨＤＭＩコネクタ部６２を通じて接続されたディスプレイ装置２において、そのままでは処理不能であるが、ディスプレイ装置２において処理可能な画像表示仕様に変換可能である場合には、読み出した画像データの画像表示仕様を、ディスプレイ装置２において処理可能な画像表示仕様に変換した後に、ＨＤＭＩコネクタ部６２に接続されたディスプレイ装置２と、画像出力端子ｏｕｔに接続されたディスプレイ機器５とに供給する。
【０１１８】
また、ストレージ４０から読み出した画像データの画像表示仕様が、ＨＤＭＩコネクタ部６２を通じて接続されたディスプレイ装置２において、そのままでは処理不能であり、かつ、ディスプレイ装置２において処理可能な画像表示仕様に変換もできないものである場合には、ＨＤＭＩＩ／Ｆ以外の画像データの出力端子、この第２の実施の形態の場合には、画像出力端子ｏｕｔにディスプレイ機器が接続されているか否かを判別する。
【０１１９】
ここで、ＨＤＭＩＩ／Ｆ以外の画像データの出力端子にディスプレイ機器が接続されていると判別した場合には、当該出力端子に接続されたディスプレイ機器を通じて当該画像データに応じた画像を表示できる場合もあるので、画像表示仕様の変換処理は行わずに画像データをＨＤＭＩＩ／ＦとＨＤＭＩＩ／Ｆ以外の当該出力端子とを通じて出力する。
【０１２０】
この場合、ＨＤＭＩＩ／Ｆに接続されたディスプレイ装置２においては、供給される画像データに応じた画像を表示することはできないので、再生系部分の表示系Ｉ／Ｆ７０を通じて、ＨＤＭＩＩ／Ｆを通じて接続されているディスプレイ装置２において画像を再生できない理由を通知するようにする。なお、ＨＤＭＩＩ／Ｆを通じて接続されているディスプレイ装置２において画像を再生できない理由を通知するメッセージを形成して、これをＨＤＭＩＩ／Ｆを通じてディスプレイ装置２に供給し、ディスプレイ装置２の表示画面に当該メッセージを表示するようにしてもよい。
【０１２１】
一方、ＨＤＭＩＩ／Ｆ以外の画像データの出力端子にディスプレイ機器が接続されていないと判別した場合には、ストレージ４０から読み出された画像データに応じて画像が表示可能なディスプレイ機器が接続されていないので、図１〜図３を用いて説明した第１の実施の形態のデジタルビデオカメラ１の場合と同様に、当該画像データの再生を断念し、次に再生すべき画像データが記録されている領域の先頭に読み出し位置を位置付けて、別の画像データの再生を行うようにする。
【０１２２】
この場合、表示系Ｉ／Ｆ７０を通じて、スキップ中（読み出し位置の変更中）である旨の通知を行ったり、スキップ中である旨を通知するメッセージを形成して、これをＨＤＭＩＩ／Ｆを通じてディスプレイ装置２に供給し、ディスプレイ装置２の表示画面に当該メッセージを表示したりする処理を行うことによって、再生不能な画像データが存在し、これをスキップすることをユーザーに通知することによって、再生されない画像データが存在した場合に、これを機器の故障などと間違えることも無い。
【０１２３】
［再生時の動作について（ストレージが磁気テープの場合）］
次に、図５を用いて説明したように、ＨＤＭＩコネクタ部６２と、ＨＤＭＩ規格以外の画像出力端子ｏｕｔとを備えた第２の実施の形態のデジタルビデオカメラ４において、ストレージ４０に記録されている画像データの再生処理について、図６のフローチャートを参照しながら説明する。なお、この図６に示しフローチャートは、第１の実施の形態の図３に示したフローチャートの場合と同様に、ストレージ４０は、磁気テープが用いられているものとして説明する。
【０１２４】
図６において、ステップＳ３０１〜ステップＳ３０９までの処理は、図３に示したステップＳ１０１〜ステップＳ１０９までの処理と同様に行われる部分である。また、図６において、ステップＳ３１２〜ステップＳ３１４までの処理は、図３に示したステップＳ１１０〜ステップＳ１１２までの処理と同様に行われる処理である。
【０１２５】
そして、図６に示すように、この第２の実施の形態のデジタルビデオカメラ４において、ステップＳ３０５は、システム制御部９０が、既に取得している情報（ディスプレイ装置２からのＥＤＩＤ情報、デジタルビデオカメラ４が保持する表示仕様変換パターン、出力対象の画像表示仕様α）に基づいて、出力対象の画像データの画像表示仕様αの変換が可能であるか否かを判断する処理である。
【０１２６】
このステップＳ３０５の判断処理において、出力対象の画像データの画像表示仕様αの変換が不能であると判断したときには、システム制御部９０は、ＨＤＭＩＩ／Ｆ以外の画像データの出力端子にディスプレイ機器が接続されているか否かを判断する（ステップＳ３１０）。
【０１２７】
このステップＳ３１０の処理は、自機が備える画像出力端子にディスプレイ機器が接続されている場合と接続されていない場合とで変化する電気的な特性の違い、あるいは、ディスプレイ機器が接続されている場合には「オン」となり、接続されていない場合には「オフ」となる機械的な機構、あるいは、信号の送受信を行うなどの種々の手法を用いて、接続の有無を判別することができるようにされる。
【０１２８】
そして、ステップＳ３１０の判断処理において、ＨＤＭＩＩ／Ｆ以外の画像データの出力端子にディスプレイ機器が接続されていると判断したときには、システム制御部９０は、自機の表示計Ｉ／Ｆ７０に、ＨＤＭＩ接続されたディスプレイ装置２に画像が表示されない理由を表示するようにし（ステップＳ３１１）、ステップＳ３０７からの処理を行うようにする。
【０１２９】
なお、ステップＳ３１１の処理の後、ステップＳ３０７の処理の前に、ＨＤＭＩ接続されたディスプレイ装置２に画像が表示されない理由を通知する表示メッセージを形成し、これをＨＤＭＩトランスミッタ６１、ＨＤＭＩコネクタ部６２を通じて、これに接続されたディスプレイ装置２に供給し、当該ディスプレイ装置２の表示画面に当該メッセージを表示するようにすることもできる。
【０１３０】
一方、ステップＳ３１０の判断処理において、ＨＤＭＩＩ／Ｆ以外の画像データの出力端子にディスプレイ機器が接続されていないと判断したときには、システム制御部９０は、ステップＳ３１２〜ステップＳ３１４の処理を行って、画像データの読み出し位置を変更する処理を行って、出力対象の画像データを変更するようにした後に、その新たに出力対象となって画像データを出力するようにする処理を繰り返すことになる。
【０１３１】
このように、デジタルビデオカメラ４においては、ストレージ４０に記録保持されている画像データを再生する場合には、基本的には、ＨＤＭＩ接続されているディスプレイ装置２において表示可能な画像データについては、当該ＨＤＭＩＩ／Ｆを通じてディスプレイ装置２に供給して再生するようにし、同時にＨＤＭＩＩ／Ｆ以外の画像出力端子ｏｕｔを通じてディスプレイ機器に供給して再生するようにする。
【０１３２】
しかし、ＨＤＭＩ接続されているディスプレイ装置２において表示不能な画像データについては、ＨＤＭＩＩ／Ｆ以外の画像出力端子にディスプレイ機器５が接続されている場合には、当該ディスプレイ５において再生するようにする。ＨＤＭＩＩ／Ｆ以外の画像出力端子にディスプレイ装置が接続されていない場合には、当該画像データに応じた画像の再生は不能であるので、別の画像データを出力するようにする。
【０１３３】
これにより、ＨＤＭＩＩ／Ｆ以外の画像出力端子にディスプレイ機器が接続されている場合には、そのディスプレイ機器での画像データに応じた画像の表示可能性を無駄にすることなく、ストレージから読み出された画像データをできるだけ表示することができるようにしている。
【０１３４】
なお、図６に示した処理は、画像表示仕様の変換を行うことによって、ＨＤＭＩコネクタ部６２を通じて接続されたディスプレイ装置２において画像を表示可能な画像データの場合には、画像表示仕様の変換処理を行って、当該ディスプレイ装置２に供給するようにした。すなわち、コンポーネント画像信号の出力端子である画像出力端子ｏｕｔを通じて接続されたディスプレイ機器５よりも、ＨＤＭＩコネクタ部６２を通じて接続されたディスプレイ装置２における画像の表示を優先させるようにした。
【０１３５】
しかし、これに限るものではない。逆に、ＨＤＭＩコネクタ部６２を通じて接続されたディスプレイ装置２よりも、コンポーネント画像信号の出力端子である画像出力端子ｏｕｔを通じて接続されたディスプレイ機器５における画像の表示を優先させるようにすることも可能である。
【０１３６】
具体的には、図６に示したフローチャートにおいて、ステップＳ３０５の判断処理（出力対象の画像データの画像表示仕様が変換可能か否かの判断処理）と、ステップＳ３０６の画像表示仕様の変換処理との間に、ステップＳ３１０の判断処理と同様のＨＤＭＩＩ／Ｆ以外の画像データの出力端子にディスプレイ機器が接続されているか否かを判断する処理を追加する。
【０１３７】
そして、追加した判断処理において、ＨＤＭＩＩ／Ｆ以外の画像データの出力端子にディスプレイ機器が接続されていないと判断したときには、ステップＳ３０６の処理に進んでＨＤＭＩコネクタ部６２を通じて接続されたディスプレイ装置２における画像の表示を行うようにする。
【０１３８】
逆に、追加した判断処理において、ＨＤＭＩＩ／Ｆ以外の画像データの出力端子にディスプレイ機器が接続されていると判断したときには、ステップＳ３１１の処理に進んで、ＨＤＭＩコネクタ部６２を通じて接続されたディスプレイ装置２における画像の表示を断念し、画像出力端子ｏｕｔに接続されているディスプレイ機器５を通じての画像の表示を行うようにする。
【０１３９】
このようにすることによって、コンポーネント画像信号の出力端子である画像出力端子ｏｕｔを通じて接続されたディスプレイ機器５における画像の表示を優先させるようにすることができる。
【０１４０】
また、ＨＤＭＩコネクタ部６２を通じて接続されたディスプレイ装置２と、コンポーネント画像信号の出力端子である画像出力端子ｏｕｔを通じて接続されたディスプレイ機器５との何れを優先させるようにしても、ＨＤＭＩ接続にとって最適な画像表示仕様の変換処理や画像データの読み飛ばし処理が、他の接続に悪影響を及ぼすのを避けることが可能である。
【０１４１】
例えば、ストレージ４０から読み出した画像データは、画像出力端子ｏｕｔに接続されたディスプレイ機器５においてすべて表示可能であるはずなのに、理由もわからず突然画像データがところどころでスキップされてしまい違和感を与えてしまうなどといった不都合を生じさせないようにすることができる。
【０１４２】
なお、ストレージ４０において、表示可能なビデオ周波数と不可能なビデオ周波数の画像データが記録されていた場合には、上述もしたように、早送りやスキップを行うことになるが、このとき同期信号についてもディスプレイ装置２で表示可能なビデオ周波数に固定する。
【０１４３】
例えば、６０Ｈｚのみ処理可能なディスプレイ機器と接続し、６０Ｈｚの信号と５０Ｈｚの信号が混在しているストレージを再生する場合、５０Ｈｚの信号の部分は読み飛ばすが、同期信号に関しては６０Ｈｚに固定することにより、早送り中もディスプレイ機器において表示が乱れない。そのため、スキップ中に、黒画像や青画像の上に、いわゆるＯＳＤ（On Screen Display）技術を用いて、メッセージを合成してＨＤＭＩ接続されたディスプレイ機器２に供給することにより、上述もしたように、表示メッセージを当該ディスプレイ装置２において表示し、ユーザーに提供することができる。
【０１４４】
もちろん、音声で早送り中やスキップ中など、画像データの読み飛ばし処理中である旨の通知を行うことも可能である。すなわち、表示メッセージと音声メッセージとの一方または両方を、ＨＤＭＩ接続されているディスプレイ装置２に供給し、ディスプレイ装置２を通じて表示メッセージと音声メッセージとの一方または両方により、画像データの処理の状態を通知することができるようにされる。
【０１４５】
なお、この第２の実施の形態においては、ＨＤＭＩ接続されたディスプレイ装置２と、ＨＤＭＩＩ／Ｆ以外の画像出力端子を通じて接続されたディスプレイ機器５とが存在する場合を例にして説明したが、これに限るものではない。ＨＤＭＩＩ／Ｆが複数存在する場合にもこの発明を適用することができる。
【０１４６】
すなわち、ＨＤＭＩＩ／Ｆが複数存在する場合には、各ＨＤＭＩＩ／Ｆを通じて接続されたディスプレイ機器毎に対応可能な表示仕様（装置表示仕様）が異なる場合もある。このような場合、主となるディスプレイ機器を決めて、その主となるディスプレイ機器において、表示不能な画像表示仕様の画像データであっても、他のディスプレイ機器で表示可能である場合には読み飛ばさずにそのまま、あるいは、他のディスプレイ機器で表示可能な画像表示仕様に変換して各ディスプレイ機器に供給するように構成することも可能である。
【０１４７】
この場合、各ディスプレイ機器はＨＤＭＩ接続されたものであり、各ディスプレイ機器からのＥＤＩＤ情報によって、画像が表示不能になるディスプレイ機器を把握することができるので、画像が表示不能になるディスプレイ機器においては、これを通知する表示メッセージを表示したり、音声メッセージを放音したりすることができる。
【０１４８】
また、ストレージがＤＶＤやハードディスクなどのディスク記録媒体である場合には、図６に示したステップＳ３１２〜ステップＳ３１４までの処理が、図４に示した処理のステップＳ２１０〜ステップＳ２１２までの処理と同様に行われることになる。
【０１４９】
［第３の実施の形態］
上述した第１、第２の実施の形態のデジタルビデオカメラ１、４においては、接続されているディスプレイ装置等に応じて、出力対象を読み飛ばすか否かを適切に判断し、読み飛ばす処理を行っている場合、あるいは、行った場合には、その事実をユーザーに通知するようにした。しかし、画像データの読み飛ばしの通知を事前に行うようにすることもできる。
【０１５０】
この第３の実施の形態のデジタルビデオカメラ６においては、再生対象の画像データが記録されているストレージに画像表示仕様の異なる画像データが混在して記録されている場合に、記録されている画像データのそれぞれについて、画像表示仕様と、接続されているディスプレイ装置で表示可能か否かを示す情報と、再生時においてどのような処理がなされるかを示す情報とからなる再生対象の画像データの一覧リストである再生予定リストを生成して表示することができるようにしたものである。
【０１５１】
なお、この第３の実施の形態のデジタルビデオカメラ４の場合にも、再生系部分にコンポーネント出力端子が設けられている点、システム制御部９０にメモリ９５が設けられている点を除けば、記録系部分、再生系部分とも、図１に示した第１の実施の形態のデジタルビデオカメラ１と同様に構成されるものである。このため、以下においては、デジタルビデオカメラ６の再生系部分の構成例を示し、その動作を詳細に説明する。
【０１５２】
［再生系部分とディスプレイ装置との動作について］
図７は、この第３の実施の形態のデジタルビデオカメラ６の再生系部分と画像データの供給先であるディスプレイ装置との接続関係を説明するためのブロック図である。図７において、図２に示した第１の実施の形態のデジタルビデオカメラ１の再生系部分と、あるいは、図５に示した第２の実施の形態のデジタルビデオカメラ１の再生系部分と同様に構成される部分には、同じ参照符号を付し、それらの部分の詳細な説明については省略する。
【０１５３】
簡単には、図７と図２とを比較すると分かるように、図７に示した第３の実施の形態のデジタルビデオカメラ６の再生系部分と、図２に示した第１の実施の形態のデジタルビデオカメラ１の再生系部分とでは、コンポーネント画像信号の画像出力端子ｏｕｔが設けられ、当該画像出力端子ｏｕｔを通じてディスプレイ機器５が接続されている点、また、システム制御部９０にメモリ９５が設けられている点が異なっている。
【０１５４】
また、図７と図５とを比較すると分かるように、図７に示した第３の実施の形態のデジタルビデオカメラ６の再生系部分と、図５に示した第２の実施の形態のデジタルビデオカメラ１の再生系部分とでは、システム制御部９０にメモリ９５が設けられている点が異なっている。
【０１５５】
ここで、システム制御部９０に新たに設けられたメモリ９５は、ストレージ４０に記憶保持されている画像データのそれぞれ毎に、画像表示仕様やその他の情報を記憶保持することができるものであり、後述する再生予定リストが形成されるものである。
【０１５６】
そして、この実施の形態のデジタルビデオカメラ６の場合には、画像データをストレージに記録する際に、各画像データ毎に画像表示仕様を取得し、その取得した画像表示仕様をメモリ９５に記憶する。すなわち、図１に示したように、カメラ部１２を通じて撮影することにより取得する画像データについての画像表示仕様は、システム制御部９０が把握しているので、システム制御部９０のＣＰＵ９１が自己のメモリ９５に記録する。
【０１５７】
また、外部入力部１１を通じて供給され、記録系を通じてストレージ４０に記録される画像データについては、その画像データに付加されている情報により、あるいは、その画像データを解析することにより、システム制御部９０が、記録対象の画像表示仕様を取得して、これをメモリ９５に記録する。
【０１５８】
もちろん、画像データの記録時に画像表示仕様を取得して記録するものに限るものではない。例えば、適宜のタイミングで、ストレージ４０に記録保持されている画像データのそれぞれについて、各画像データに付加されている情報に基づいて、あるいは、各画像データを解析することにより、画像表示仕様を取得して、これをストレージ４０に記憶保持されている画像データとの対応関係が取れるようにして、メモリ９５に記録するようにしてもよい。
【０１５９】
また、ストレージ４０に記憶保持されている画像データのそれぞれについて、操作受付Ｉ／Ｆ８０を通じて画像表示仕様を入力して、これをメモリ９５に記録することもできるようにされる。
【０１６０】
そして、システム制御９０は、上述のようにして取得したストレージ４０に記録されている画像データ毎のメモリ９５に記憶保持された画像表示仕様と、第１、第２の実施の形態のデジタルビデオカメラの場合と同様に、ＨＤＭＩＩ／ＦのＤＤＣラインを通じてシステム制御部９０１が取得し、ＲＡＭ９３に一時記憶しているディスプレイ装置２のＥＤＩＤ情報と、この第３の実施の形態のデジタルビデオカメラ６において予め決められて、不揮発性メモリ９４に予め登録されている表示仕様変換パターンとに基づいて、再生予定リストを生成する。
【０１６１】
図８は、再生予定リストの生成を説明するための図である。図８Ａは、上述したように、画像データの記録時等においてメモリ９５に記録されたストレージ９０に記録保持されている画像データの画像表示仕様について説明するための図である。図８Ａにおいて、（１）、（２）、…は、ストレージ４０に記録されている画像データの記録されている順番に対応している。すなわち、（１）の画像表示仕様は、ストレージ４０において、最初に記録されている画像データの画像表示仕様であり、（２）の画像表示仕様は、ストレージ４０において、２番目に記録されている画像データの画像表示仕様であることを示している。
【０１６２】
また、図８Ｂは、ＥＤＩＤ情報としてディスプレイ装置２から取得し、ＲＡＭ９３に記憶保持されているディスプレイ装置２の装置表示仕様について説明するための図である。すなわち、ディスプレイ装置２においては、図８Ｂに示した４つの画像表示仕様の画像データについて表示可能であることが示されている。
【０１６３】
また、図８Ｃは、この第３の実施の形態のデジタルビデオカメラ６において可能とされる画像データの画像表示仕様の変換パターン（表示仕様変換パターン）について説明するための図である。この第３の実施の形態のデジタルビデオカメラ６においては、図８Ｃに示すように、（１）１９２０×１０８０ｐ＠６０Ｈｚから１９２０×１０８０ｉ＠６０Ｈｚへの変換と、（２）１９２０×１０８０ｉ＠６０Ｈｚから７２０×４８０ｉ＠６０Ｈｚへの変換とが可能であることができると共に、（３）画像表示仕様の変換をせずにそのまま出力することが可能であることが示されている。
【０１６４】
これら、図８Ａ、図８Ｂ、図８Ｃの情報に基づいて、図８Ｄに示すような再生予定リストが形成される。すなわち、図８Ａに示したストレージ４０に記憶保持されている画像データのそれぞれの画像表示仕様と、図８Ｂに示したディスプレイ装置２の装置表示仕様とを比較する。
【０１６５】
ここで、図８Ｂに示したディスプレイ装置２の装置表示仕様に一致する画像表示仕様の場合には、その画像表示仕様の画像データについては、画像表示仕様の変換は必要なく、その画像データをそのまま出力してディスプレイ装置２において表示可能であり、自機においてそのまま再生して出力することが可能であることが分かる。
【０１６６】
また、図８Ｂに示したディスプレイ装置２の装置表示仕様に一致しない画像表示仕様の場合には、図８Ｃの表示仕様変換パターンを参照し、自己が変換可能なものであるか否かを確認し、変換可能であるときには、変換後の画像表示仕様が、図８Ｂに示したディスプレイ装置２の装置表示仕様に一致するときには、その画像データは、画像表示仕様の変換後において、ディスプレイ装置２において表示可能であり、自機において画像表示仕様の変換を行って出力することが可能であることが分かる。
【０１６７】
また、図８Ｂに示したディスプレイ装置２の装置表示仕様に一致しない画像表示仕様の場合であって、図８Ｃの表示仕様変換パターンを参照し、自己が変換可能なものであるか否かを確認し、変換不能である場合、あるいは、変換可能であっても、変換後の画像表示仕様がディスプレイ装置２において対応不能なものである場合（図８Ｂに示した装置表示仕様に一致するものが無い場合）には、表示不可能（表示不能）であり、スキップ対象となることが分かる。
【０１６８】
したがって、図８Ａに示した（１）〜（４）の画像表示仕様を有する画像データのそれぞれについて検証すると、（１）１９２０×１０８０ｐ＠６０Ｈｚの画像表示仕様を有する画像データは、対応する装置表示仕様が図８Ｂには存在しないため、さらに図８Ｃの表示仕様変換パターンを参照すると、図８Ｃの（１）のパターンにより、１９２０×１０８０ｉ＠６０Ｈｚの画像表示仕様に変換可能であり、これは図８Ｂに示した装置表示仕様にも存在するものであるので、図８Ｄに示すように、ディスプレイ装置２（モニター）において表示可能であるが、自機において画像表示仕様の変換がなされることが示される。
【０１６９】
また、（２）１９２０×１０８０ｉ＠６０Ｈｚの画像表示仕様を有する画像データは、対応する装置表示仕様が図８Ｂに存在するため、図８Ｄに示すようにディスプレイ装置２（モニター）において表示可能であり、自機においても画像表示仕様の変換を伴うことなく、そのまま再生されて出力されることが分かる。
【０１７０】
また、（３）１９２０×１０８０ｉ＠５０Ｈｚの画像表示仕様を有する画像データは、対応する装置表示仕様が図８Ｂには存在せず、さらに図８Ｃの表示仕様変換パターンを参照しても、対応するパターンが存在しないために変換不能であり、図８Ｄに示すように、ディスプレイ装置２（モニター）において表示不可能であり、自機においてはスキップ（読み飛ばし）の対象となることが示される。
【０１７１】
また、（４）１９２０×１０８０ｉ＠６０Ｈｚの画像表示仕様を有する画像データは、図８Ａの（２）の場合と同じ画像表示仕様であり、対応する装置表示仕様が図８Ｂに存在するため、図８Ｄに示すようにディスプレイ装置２（モニター）において表示可能であり、自機においても画像表示仕様の変換を伴うことなく、そのまま再生されて出力されることが分かる。
【０１７２】
そして、システム制御部９０は、画像データの再生に先立ち、図８Ｄに示した再生予定リストをメモリ９５に形成し、これを再生系部分が備える表示形Ｉ／Ｆの表示画面に表示して、ユーザーに提供する。あるいは、システム制御部９０は、画像データの再生に先立ち、図８Ｄに示した再生予定リストをメモリ９５に形成し、これをＨＤＭＩトランスミッタ６１、ＨＤＭＩコネクタ部６２を通じて、これに接続されたディスプレイ装置２に供給し、図８Ｄに示した再生予定リストをディスプレイ装置２の表示画面に表示することもできる。
【０１７３】
なお、図８Ｄに示したように、再生予定リストには、ストレージ４０に記憶保持されている画像データ毎に、画像表示仕様、ＨＤＭＩ接続モニター（ディスプレイ装置２）で表示可能か表示不可能かの別、当該画像データの自機（デジタルビデオカメラ）における再生時の処理内容を表示するようにした。しかしこれに限るものではない。
【０１７４】
例えば、画像データに付随して音声データが存在する場合には、その音声データの周波数情報やチャンネル情報、画像データについてのタイムコード情報（例えば、全体でどれ位の再生時間の画像データかを示す情報等）の種々の情報を付加することが可能である。また、再生装置、すなわち、デジタルビデオカメラの再生系部分が動作した場合に、画像データをスキップするか否かを表示するだけでなく、スキップするか否かをユーザーがマニュアルで（手動で）変更できるようにすることも可能である。
【０１７５】
［再生予定リストの作成処理について］
次に、この第３の実施の形態のデジタルビデオカメラ６において行われる再生予定リストの作成処理について、図９、図１０に示すフローチャートを参照しながら説明する。図９、図１０は、この第３の実施の形態のデジタルビデオカメラ６において実行される再生予定リストの作成処理を説明するためのフローチャートである。この図９、図１０に示す処理は、操作受付Ｉ／Ｆ８０を通じて、ユーザーからの再生予定リストの作成指示を受け付けた場合に、主にシステム制御部９０によって実行される処理である。
【０１７６】
まず、操作受付Ｉ／Ｆ８０を通じて、ユーザーからの再生予定リストの作成指示を受け付けると、システム制御部９０は、図９、図１０に示す処理を実行し、まず、ストレージ４０に記憶保持されている全ての画像データ毎の画像表示仕様を把握する（ステップＳ４０１）。
【０１７７】
具体的にステップＳ４０１の処理は、上述もしたように、画像データの記録時において、記録対象の画像データの画像表示仕様を把握してメモリ９５に記録するようにしているのであれば、メモリ９５の記録内容を参照し、画像データ毎の画像表示仕様を把握する処理であり、また、ストレージ４０に記憶保持されている画像データ毎の画像表示仕様をメモリ９５に記憶していな場合には、ストレージ４０に記録されている各画像データ毎の画像表示仕様を検出（取得）して、それをメモリ９５に記録して、各画像データの画像表示仕様を把握する処理である。すなわち、ステップＳ４０１は、図８Ａに示したように、ストレージ４０に記録されている画像データ毎の画像表示仕様を把握する処理である。
【０１７８】
そして、システム制御部９０は、ストレージ４０に記憶保持されている画像データの内、再生予定リストに掲載すべき最初の画像データを特定し（ステップＳ４０２）、その特定した画像データのステップＳ４０１において把握した画像表示仕様と、第１の実施の形態において説明したように、ＲＡＭ９３に一時記憶されている情報であって、ＨＤＭＩＩ／ＦのＤＤＣラインを通じて先に取得しているＥＤＩＤ情報に基づく装置表示仕様（図８Ｂ）と比較する（ステップＳ４０３）。
【０１７９】
このステップＳ４０３の比較処理の結果を受けて、システム制御部９０は、特定した画像データの画像表示仕様と一致する装置表示仕様が存在するか否かを判断する（ステップＳ４０４）。すなわち、このステップＳ４０４の判断処理は、特定した画像データを出力する場合、画像表示仕様の変換が必要か否かを判断する処理である。
【０１８０】
ステップＳ４０４の判断処理の結果、画像表示仕様の変換は必要ないと判断した場合には、当該画像データをＨＤＭＩ接続されているディスプレイ装置２において「表示可能」であると判定すると共に（ステップＳ４０５）、自機においての処理は、当該画像データを画像表示仕様の変換を伴うことなく、そのまま「再生」して出力すると判定する（ステップＳ４０６）。
【０１８１】
このステップＳ４０６までの処理により、特定した画像データの「画像表示仕様」を把握し、当該画像データがディスプレイ装置２において「表示可能」であること、当該画像データは画像表示仕様の変換を伴うことなくそのまま「再生」して出力可能であることが判定され、その結果がメモリ９５に対応する画像表示仕様と関連付けられて保持されることになる。
【０１８２】
そして、システム制御部９０は、特定した画像データは、ストレージ４０に記憶保持されている最後の画像データか否かを判断し（ステップＳ４０７）、最後の画像データであると判断した時には、これまでの判定結果に基づいて、ストレージ４０に記憶保持されている画像データ毎に、画像表示仕様、ディスプレイ装置２で表示可能か否かの別、自機（デジタルビデオカメラ）における処理内容からなる図８Ｄに示した再生予定リストを形成して出力するようにし（ステップＳ４０８）、この図９、図１０に示す処理を終了する。
【０１８３】
なお、ステップＳ４０８の再生予定リストの出力処理は、デジタルビデオカメラの再生系部分の表示系Ｉ／Ｆ７０を通じて出力したり、図８Ｄに示した再生予定リストをＨＤＭＩトランスミッタ６１、ＨＤＭＩコネクタ部６２を通じてディスプレイ装置２に供給してディスプレイ装置２の表示画面に表示したりする処理である。もちろん、自機の表示系Ｉ／Ｆ７０と、ディスプレイ装置２との両方を通じて、再生予定リストを表示してユーザーに提供するようにしてもよい。
【０１８４】
また、ステップＳ４０７の判断処理において、特定した画像データが、ストレージ４０に記憶保持されている最後の画像データではないと判断したときには、システム制御部９０は、次の処理対象となる画像データを特定し（ステップＳ４０９）、ステップＳ４０３からの処理を繰り返して、新たに処理対象となった画像データの画像表示仕様、ディスプレイ装置２で表示可能か否かの別、自機（デジタルビデオカメラ）における処理内容を特定する処理を行うようにする。
【０１８５】
また、ステップＳ４０４の判断処理において、特定した画像データの画像表示仕様と一致する装置表示仕様は存在しないと判断したときには、図１０に示す処理に進み、前述もしたように、デジタルビデオカメラ６の不揮発性メモリ９４に予め登録されている表示仕様変換パターン（図８Ｃ）をと、上述もしたようにディスプレイ装置２からのＥＤＩＤ情報により把握される装置表示仕様とを参照し、特定した画像データの画像表示仕様をディスプレイ装置２において表示可能なものに変換可能であるかを調べる（ステップＳ４１０）。
【０１８６】
そして、システム制御部９０は、ステップＳ４１０における調査結果に基づいて、特定した画像データについて、画像表示仕様を変換可能か否か、すなわち、画像表示仕様を変換してディスプレイ装置２に供給すれば、ディスプレイ装置２において表示可能か否かを判断する（ステップＳ４１１）。
【０１８７】
ステップＳ４１１の判断処理において、画像表示仕様を変換してディスプレイ装置２に供給すれば、ディスプレイ装置２において表示可能であると判断したときには、システム制御部９０は、当該画像データをＨＤＭＩ接続されているディスプレイ装置２において「表示可能」であると判定すると共に（ステップＳ４１２）、自機においての処理は、当該画像データを画像表示仕様の変換を行った後に出力すると判定する（ステップＳ４１３）。
【０１８８】
ステップＳ４１２、ステップＳ４１３の処理により特定された結果もまたメモリ９５に対応する画像表示仕様と関連付けられて保持されることになる。この後、図９に示したステップＳ４０７からの処理を繰り返すようにする。
【０１８９】
ステップＳ４１１の判断処理において、画像表示仕様を変換できない、あるいは、画像表示仕様を変換しても、ディスプレイ装置２において対応可能な画像表示仕様に変換できないと判断したときには、システム制御部９０は、当該画像データをＨＤＭＩ接続されているディスプレイ装置２において「表示不可能」であると判定すると共に（ステップＳ４１４）、自機においての処理は、当該画像データをスキップする（読み飛ばす）処理を行うと判定する（ステップＳ４１５）。
【０１９０】
ステップＳ４１４、ステップＳ４１５の処理により特定された結果もまたメモリ９５に対応する画像表示仕様と関連付けられて保持されることになる。この後、図９に示したステップＳ４０７からの処理を繰り返すようにする。
【０１９１】
このように、図９、図１０に示した処理を通じて、ストレージ４０に記憶保持されている画像データ毎に、画像表示仕様と、ＨＤＭＩ接続されているディスプレイ装置２において表示可能か否か、自機においてどのように処理すべきかを判定し、これらの情報を含む再生予定リスト（図８Ｄ）を例えばメモリ９５に形成して、ユーザーに提供することができる。
【０１９２】
これにより、ユーザーはストレージ４０に記録されている信号をただ把握するだけでなく、それがＨＤＭＩ接続されているモニターで映るか否か、スキップする設定なのか否かを一目で把握することが可能となり、ユーザーの混乱も回避でき、再生装置としての利便性も向上する。
【０１９３】
なお、この第３の実施の形態においては、再生可能な画像データについての再生予定リストを専用メモリ９５に形成するようにしたが、これに限るものではない。主に作業領域として用いられるＲＡＭ９３や不揮発性メモリ９４に形成するようにしてもよい。
【０１９４】
また、システム制御部９０のメモリに再生予定リストを形成するのではなく、ストレージ４０の所定の記憶領域に、当該ストレージに記憶保持されている画像データの画像表示仕様を記憶保持するようにし、当該ストレージ内に再生予定リストを形成しておき、適宜のタイミングで読み出して表示できるようにしてもよい。この場合には、ストレージ４０に記憶保持されている画像データが大量にある場合において有効である。
【０１９５】
また、ストレージ４０への画像データの追加、ストレージ４０からの画像データの削除に伴い、画像データ毎の画像表示仕様の追加や削除を行うようにしておくことにより、ストレージ４０に記憶保持されている画像データと対応付けて、不整合を生じさせることなく、画像データ毎に画像表示仕様を管理することができるとともに、再生予定リストを形成することができる。このことは、画像表示仕様を記憶保持したり、また、再生予定リストを形成したりする記録媒体が、画像データが記憶保持されているストレージ４０であっても、ストレージ４０以外のメモリであっても同様である。
【０１９６】
なお、上述した実施の形態においては、第１、第２、第３の３つの実施の形態のそれぞれについて説明したが、第１の実施の形態で説明した機能と第３の実施の形態で説明した機能を合わせ持つデジタルビデオカメラを構成したり、第２の実施の形態で説明した機能と第３の実施の形態で説明した機能を合わせ持つデジタルビデオカメラを構成したりすることももちろん可能である。
【０１９７】
また、上述した実施の形態においては、デジタルビデオカメラの再生系にこの発明を適用した場合を例にして説明したが、これに限るものではない。例えば、ＤＶＤなどの光ディスクの再生装置や記録再生装置、ＭＤ（Mini Disc（登録商標））等の光磁気ディスクの再生装置や記録再生装置、ＶＴＲ（Video Tape Recorder）、ハードディスクの再生装置や記録再生装置、半導体メモリの再生装置や記録再生装置など、記録媒体として様々な記録媒体を用いる種々の再生装置や記録再生装置に、この発明を適用することができる。
【０１９８】
そして、上述した第１、第２、第３の実施の形態から分かるように、１つのストレージに複数の異なる表示仕様の画像データが記録されていて、再生装置とディスプレイ装置がＨＤＭＩ接続されていた場合、再生装置自身がディスプレイ装置に表示できない部分が含まれるか度かを把握し、最適な形でストレージからの読み出しを行うため、ユーザーが再生できる部分がどこかを管理する必要性がない。
【０１９９】
また、１つのストレージに複数の異なる表示仕様の画像データが記録されている場合、それを再生する際、再生装置が記録されている信号フォーマットを解釈し、ディスプレイ装置に映らない非サポート記録エリアに突入したら、再生装置自身が、ストレージからの読み出し速度や位置をかえて、早送り（ＦＦ）やスキップを行うため、ユーザーが早送り操作やスキップ操作などを行う必要がない。
【０２００】
また、再生装置自身が、早送りやスキップなどの操作を自動的に行うときは、ＬＥＤなどの表示系Ｉ／Ｆを用いて操作したことをユーザーにお知らせするため、「さっきまで映っていたのに突然映らなくなった」といった一般ユーザーの混乱を回避できる。
【０２０１】
また、複数インターフェイスを用いて、複数の外部機器と接続されていた場合には、ストレージからの読み出しスピードや位置を変更することを禁ずる。しかし、そのような場合においても、再生装置自身のＬＥＤなどの表示系Ｉ／Ｆで「複数接続があるため、どれかの接続においては表示できない信号が出力される可能性があること」を報知できるので、ユーザーが混乱しないようにすることができる。
【図面の簡単な説明】
【０２０２】
【図１】この発明の一実施の形態が適用された第１の実施の形態のデジタルビデオカメラを説明するためのブロック図である。
【図２】図１に示した第１の実施の形態のデジタルビデオカメラ１の再生系部分について説明するためのブロック図である。
【図３】ストレージがテープ媒体である場合の第１の実施の形態の再生系部分の再生時の動作について説明するためのフローチャートである。
【図４】ストレージがディスク媒体である場合の第１の実施の形態の再生系部分の再生時の動作について説明するためのフローチャートである。
【図５】第２の実施の形態のデジタルビデオカメラ４の再生系部分について説明するためのブロック図である。
【図６】第２の実施の形態の再生系部分の再生時の動作について説明するためのフローチャートである。
【図７】第３の実施の形態のデジタルビデオカメラ６の再生系部分について説明するためのブロック図である。
【図８】再生予定リストの生成を説明するための図である。
【図９】第３の実施の形態のデジタルビデオカメラ６において実行される再生予定リストの作成処理を説明するためのフローチャートである。
【図１０】図９に続くフローチャートである。
【符号の説明】
【０２０３】
１…デジタルビデオカメラ、１１…外部入力部、１２…カメラ部、ＳＷ１…スイッチ回路、２０…ベースバンド処理部、３１…エンコーダ、３２…記録部、ＳＷ２…スイッチ回路、４０…ストレージ、５１…読み出し部、５２…デコーダ、６０…信号出力Ｉ／Ｆ、７０…表示系Ｉ／Ｆ、８０…操作受付Ｉ／Ｆ、９０…システム制御部、５１…読み出し部、５２…デコーダ、２１…解像度判別部、２２…解像度変換部、６１…ＨＤＭＩトランスミッタ、６２…ＨＤＭＩコネクタ部、ｏｕｔ…画像出力端子、９１…ＣＰＵ、９２…ＲＯＭ、９３…ＲＡＭ、９４…不揮発性メモリ、９５…メモリ、２…ディスプレイ装置、２０１…ＨＤＭＩコネクタ部、２０２…ＨＤＭＩ制御部、２０３…メモリ、３…デジタルＩ／Ｆケーブル、４…デジタルビデオカメラ、５…ディスプレイ機器
【図１】
2008258699.tif 000003
【図２】
2008258699.tif 000004
【図３】
2008258699.tif 000005
【図４】
2008258699.tif 000006
【図５】
2008258699.tif 000007
【図６】
2008258699.tif 000008
【図７】
2008258699.tif 000009
【図８】
2008258699.tif 000010
【図９】
2008258699.tif 000011
【図１０】
2008258699.tif 000012